(57)【特許請求の範囲】
【請求項１】
電解液を収容する電池ケースと、この電池ケースの内部を気密に遮蔽する電池蓋と、この電池蓋の一部に形成した前記電池ケースの内圧変化に応じて変位可能なダイアフラム部、あるいは／および前記電池ケースの内圧変化に応じて破断可能な安全弁部と、前記電池蓋の内面に密着して配設される遮蔽部材とを備え、この遮蔽部材に、前記電池ケースの内部と連通し、前記ダイアフラム部、あるいは／および前記安全弁部の下部まで延びると共に、外部より電池に衝撃が加わった際に内部の電解液に加わる衝撃を吸収可能な断面の小さい圧力伝達路を形成したことを特徴とする電池。
【請求項２】
前記圧力伝達経路は、前記電池蓋が密着する側の前記遮蔽部材の表面に形成した溝で構成したことを特徴とする請求項１記載の電池。
【請求項３】
前記圧力伝達路は、前記溝の壁面に複数の凹部と凸部とを有し、前記前記凸部で前記断面を部分的に小さくするようにしたことを特徴とする請求項２記載の電池。
【請求項４】
前記圧力伝達路は、前記電池ケース内部との連通部入り口と前記ダイアフラム部、あるいは／および前記安全弁部の下部までの間の形状を非直線状に形成したことを特徴とする請求項１、２、または３記載の電池。
【請求項５】
前記非直線状の圧力伝達路は、複数のクランク状から成る折り曲げ部を組み合わせて形成したことを特徴とする請求項４記載の電池。
【請求項６】
前記圧力伝達路は、前記遮蔽部材に形成した、前記電池ケース内部と連通し、前記ダイアフラム部、あるいは／および前記安全弁部の下部まで延びる横孔で構成したことを特徴とする請求項１記載の電池。
【発明の詳細な説明】
【０００１】
【発明の属する技術分野】
本発明は二次電池のごとき再充電により再生可能な電池に係わり、落下等による衝撃が加わっても、ダイアフラム部、あるいは安全弁部が作動することのない電池に関する。
【０００２】
【従来の技術】
従来電池は、例えば電池ケースの内部に有機溶媒系電解液を注入して密閉した、充電可能なリチウムイオン二次電池などが、携帯電話機やパソコン等の携帯用機器の電源として広く使用されている。
ところが、このような電池に再充電するときに過充電を行ったり、規定された電流よりも大きな電流で充電を行ったりすると、電池に異常が生じて電池ケース内部に気体が発生し、電池ケース内部の圧力や温度が上昇して、電池ケースの膨張、さらには亀裂等が発生し、内部の電解液が外部ににじみ出して、電池が組み込まれた機器に悪影響を与えることがあった。
また、これに至らなくても、前述したような異常状態のままで、電池の使用を継続すると、電池の膨張が進行し、電池ケースが破裂したりする危険性があり、異常が生じた電池は速やかに使用を中止する必要があった。
【０００３】
このような電池の破裂等を防止するための、従来の電池を、図１０、１１に示すような、例えば円形のもので説明する。まず、電池ケース１には、ガスケット２を介して周囲をカシメ、あるいは溶接等で電池ケース１の内部を密閉して取り付けられた電池蓋３と、この電池蓋３の下部に電池ケース１の内圧が上昇すると上方に変位可能なアクチュエータ４とが、それぞれ配設されている。
前記電池蓋３には通気口３ａが形成され、前記アクチュエータ４が上方に変位すると、電池蓋３とアクチュエータ４とに挟まれた部分の空気が通気口３ａから外部に逃げるようになっている。
【０００４】
また、アクチュエータ４は、円環状の作動板４ａが絞り加工等で形成され、この作動板４ａには、中央部に図示下方に突出する突起部４ｂと、この突起部４ｂの周囲の面に放射状の溝４ｃが形成されて作動板４ａの一部が薄肉に形成されている。
また、アクチュエータ４の下方には絶縁板５が配設され、この絶縁板５の中央部には安全弁部４ａの突起部４ａが挿通する孔５ａと、この孔５ａから離れた位置に通気孔５ｂとが貫通形成されている。
前記絶縁板５の下部には、リード固定部材６が配設され、このリード固定部材６には、前記絶縁板５の孔５ａに連通する孔６ａと、絶縁板５の通気孔５ｂに連通する通気孔６ｂとがそれぞれ設けられている。
【０００５】
前記絶縁基板５とリード固定部材６との孔５ａ、６ａには、作動板４ａの突起部４ｂが挿通され、この突起部４ｂの先端には薄板状の金属板から成るリード７が取り付けられている。
この薄板状のリード７は、突起部４ｂの先端部に溶接等で接合される接合部７ａを有し、アクチュエータ４とリード７とが電気的に導通している。また、リード７の他端は図示下方の発電素子８に接続されて、発電素子８と電池蓋３との間に電路が構成されている。
前記電池ケース１の内部は、図示しない電解液で満たされた状態になっている。
そして、電池内部の異常により電池ケース１内部に気体が発生して電池ケース１の内圧が上昇した場合、高圧の気体が通気孔５ｂ、６ｂから、図１１に示す矢印Ａのように流れて、作動板４ａの下面に作動板を上方に押し上げようとする作動力が加わる。
【０００６】
この作動板４ａに加わる作動力で、リード７の接合部７ａに集中応力が加わり、この集中応力が接合部７ａの剪断応力より大きくなると、接合部７ａがリード７から破断、あるいは突起部４ｂと接合部７ａとが剥離され、リード７とアクチュエータ４との電気的接続が遮断されて、発電素子８と電池蓋３との間の電路が遮断されるようになっている。
この電路遮断で、電池内部の電流の流れが遮断されて、電池ケース１内部の圧力上昇が抑えられ、電池の破裂を事前に防止することができる。このような従来の電池は、携帯電話等の携帯用機器類に多く用いられている。
【０００７】
【発明が解決しようとする課題】
しかし、このような従来の電池を用いた携帯用機器類、あるいは電池単品を誤って落下させた場合、電池ケース１内部の電解液（図示せず）に落下の衝撃が加わり、この電解液が津波状になって口径の大きくて距離の短い通気孔６ｂ、５ｂを瞬時に移動して、作動板４ａを上方に変位させようとする電解液の大きな圧力が加わる。
電解液に加わる衝撃の大きさは、電池の落下高さによって異なるが、衝撃が大きな場合には、作動板４ａが一気に上方に押し上げられて反転し、接合部７ａがリード７から破断、あるいは突起部４ｂ先端が接合部７ａから剥離する。
そして、発電素子８と電池蓋３との間の電路が遮断されて、電池が使用不能になるようなことがあった。
本発明は、前記電池、あるいは電池を収納した携帯用機器等を誤って落下さるようなことがあったとしても、電池内部の電路が遮断されるようなことのない電池を提供することを目的とする。
【０００８】
【課題を解決するための手段】
前記課題を解決するための第１の解決手段として本発明の電池は、電解液を収容する電池ケースと、この電池ケースの内部を気密に遮蔽する電池蓋と、この電池蓋の一部に形成した前記電池ケースの内圧変化に応じて変位可能なダイアフラム部、あるいは／および前記電池ケースの内圧変化に応じて破断可能な安全弁部と、前記電池蓋の内面に密着して配設される遮蔽部材とを備え、この遮蔽部材に、前記電池ケースの内部と連通し、前記ダイアフラム部、あるいは／および前記安全弁部の下部まで延びると共に、外部より電池に衝撃が加わった際に内部の電解液に加わる衝撃を吸収可能な断面の小さい圧力伝達路を形成した構成とした。
【０００９】
また、前記課題を解決するための第２の解決手段として、前記圧力伝達経路は、前記電池蓋が密着する側の前記遮蔽部材の表面に形成した溝で構成するようにした。
【００１０】
また、前記課題を解決するための第３の解決手段として、前記圧力伝達路は、前記溝の壁面に複数の凹部と凸部とを有し、前記前記凸部で前記断面を部分的に小さくするようにした構成とした。
【００１１】
また、前記課題を解決するための第４の解決手段として、前記圧力伝達路は、前記電池ケース内部との連通部入り口と前記ダイアフラム部、あるいは／および前記安全弁部の下部までの間の形状を非直線状に形成した構成とした。
【００１２】
また、前記課題を解決するための第５の解決手段として、前記非直線状の圧力伝達路は、複数のクランク状から成る折り曲げ部を組み合わせて形成した構成とした。
【００１３】
また、前記課題を解決するための第６の解決手段として、前記圧力伝達路は、前記遮蔽部材に形成した、前記電池ケース内部と連通し、前記ダイアフラム部、あるいは／および前記安全弁部の下部まで延びる横孔で構成するようにした。
【００１４】
【発明の実施の形態】
以下に、本発明の電池の電路遮断機構の１実施の形態について説明する。図１は本発明に係わる上面図であり、図２は電池ケースに取り付けた状態の本発明に係わる要部断面図であり、図３は本発明に係わる下面図であり、図４は本発明に係わる側面図であり、図５は本発明に係わる要部拡大断面図であり、図６は本発明に係わるダイアフラム部の動作を説明する概略図であり、図７は本発明に係わる第２の実施の形態の概略図で、図８は本発明に係わる第３の実施の形態の概略図であり、図９は本発明に係わる第４の実施の形態の概略図である。
【００１５】
本発明の電池の第１の実施の形態の概略構成を、図１〜図４に示す、例えば角形電池に基づいて説明すると、本発明の電池に使用する電路遮断機構Ｔは、内部に発電素子（図示せず）を収納する電池ケースＫが配設され、この電池ケースＫの内部を気密に遮蔽する電池蓋１１が電池ケースＫに取り付けられている。前記電池蓋１１は、下面に取り付けられた遮蔽部材１２と、上面に取り付けられた押さえ部材１３とで狭持され、中央部のリベット１４がカシメ付けられて、電池蓋１１と遮蔽部材１２と押さえ部材１３とが一体化されている。
また、リベット１４の下方には陽極端子１５が、上方には導通ワッシャ１６が前記リベット１４のカシメと同時に取り付けられている。また、リベット１４の上方には導通ワッシャ１６に接合されて導通する外部陽極１７配設されている。また、遮蔽部材１２の一端側にはリード１８ａを有する陰極端子１８がカシメ等で取り付けられて構成されている。
【００１６】
前述したような電池の電池蓋１１は、ステンレス材のような導電性金属板から成り、図１〜図５に示すように、外形が略矩形に形成され、外周部に鍔部１１ａと、この鍔部１１ａの内側を絞り加工等で下方に突出させた平坦状の底板１１ｂとが形成されている。
前記電池蓋１１の底板１１ｂの一部には、例えば図示右側に、電池ケース１１の内圧変化に応じて変位可能なダイアフラム部Ｄと、図示左側に電池ケース１１の内圧変化に応じて破断可能な安全弁部Ｚとが形成されている。
【００１７】
前記ダイアフラム部Ｄは図５に示すように、底板１１ｂの下面側から研削加工等により円環状の凹部１１ｃが形成されて薄肉部１１ｄが設けられている。
この薄肉部１１ｄがプレス等で椀状に電池ケースＫの内方に向けて膨出形成されている。この膨出形成された薄肉部１１ｄの中央部は、周囲の薄肉部１１ｄより厚くした厚肉部１１ｅが形成されている。
そして、ダイアフラム部Ｄは、凹部１１ｃの外周側である薄肉部１１ｄの根元部分を支点として中央部の厚肉部１１ｅが上方に変位可能になっている。
また、安全弁部Ｚは、外形が円環状に図示上方に突出形成された平坦状の厚肉の突出部１１ｆと、この突出部１１ｆの外周側の根元部分を薄肉にした連結部１１ｇとから成り、前記突出部１１ｆと連結部１１ｇとに囲まれた内部に所定寸法の隙間から成る空洞部１１ｈが形成されている。
【００１８】
前記電池蓋１１の底板１１ｂの下面には、電池蓋１１の外形より小さく形成された外形が矩形の絶縁材料から成る遮蔽部材１２が密着して取り付けられている。この遮蔽部材１２にはダイアフラム部Ｄの中央部の厚肉部１１ｅの下部に形成した逃げ孔１２ａと、電池ケースＫの内部と連通し、一方側の端面１２ｈの連通部入り口１２ｋからダイアフラム部Ｄの下部の凹部１１ｃまで延びる、距離が長くて外部より電池に衝撃が加わった際に内部の電解液に加わる衝撃を吸収可能な断面の小さい第１圧力伝達路１２ｂとが形成され、電池ケースＫ内部の圧力が上昇すると、高圧の気体が第１圧力伝達路１２ｂを通過してダイアフラム部Ｄの凹部１１ｃに侵入するようになっている。
【００１９】
また、遮蔽部材１２の他方側の端面１２ｊの連通部入り口１２ｍから、安全弁部Ｚの下部の空洞部１１ｈまで延びる、距離が長くて外部より電池に衝撃が加わった際に内部の電解液に加わる衝撃を吸収可能な断面の小さい第２圧力伝達路１２ｃが形成され、電池ケースＫ内部の圧力が上昇すると、高圧の気体が第２圧力伝達路１２ｃを通過して安全弁部Ｚの空洞部１１ｈに侵入するようになっている。
前記第１と第２の圧力伝達路１２ｂ、１２ｃは、電池蓋１１の底板１１ｂが密着する側の遮蔽部材１２の表面に、例えば断面がＵ字状の溝に形成されて構成されている。
また遮蔽部材１２の中央部には後述するリベット１４が挿通する中央孔１２ｄを有するボス部１２ｅが上方に突出形成されている。
前記遮蔽部材１２の図示右側の下面にはカシメ部１２ｆと位置決め突起１２ｇとが下方に突出形成されている。
【００２０】
また、電池蓋１１の底板１１ｂ上には、電池蓋１１を遮蔽部材１２に押圧して取り付ける押さえ部材１３が配設されている。この押さえ部材１３は絶縁材料から成り、中央部に遮蔽部材１２のボス部１２ｅが挿通するための中央孔１３ａが形成されている。またダイアフラム部Ｄの上方には、第１凹部１３ｂが形成され、この第１凹部１３ｂの上壁には第１通気口１３ｃが貫通形成されて、第１凹部１３ｂが外部とつながった状態になっている。
また、安全弁部Ｚの上方には、安全弁部Ｚの突出部１１ｆが位置する第２凹部１３ｄが形成され、第２凹部１３ｄの上壁には第２通気口１３ｅが貫通形成されて、第２凹部１３ｄが外部とつながった状態になっている。
【００２１】
前記遮蔽部材１２の中央孔１２ｄには、アルミ等から成るリベット１４が挿通され、このリベット１４は下方に頭部１４ａと、ボス部１２ｅから上方に突出するカシメ部１４ｂとが形成されている。
このリベット１３は、頭部１２ａと遮蔽部材１２との間に略Ｌ字状に折り曲げられた陽極端子１５が狭持され、カシメられて外側に略円形に広がったカシメ部１４ｂと押さえ部材１３との間に、金属板から成る導通ワッシャ１６が狭持されるようになっている。前記リベット１４の頭部１４ａの周辺には、合成ゴム系の材料から成る封止材（図示せず）が塗布されて、陽極端子１５、および遮蔽部材１２との間を完全に遮蔽するようになっている。
また、リベット１４のカシメ部１４ｂがカシメられて平坦状になった上方には、導通ワッシャ１６の両端部にスポット溶接等で接続された外部陽極１７が配設され、この外部陽極１７は鋼板等から成り表面にニッケルメッキ等がされている。そして外部陽極１７と陽極端子１５とが、リベット１４を介して電気的に導通されている。
【００２２】
前記遮蔽部材１２のカシメ部１２ｆには、略Ｌ字状に折り曲げられた陰極端子１８が取り付けられている。この陰極端子１８は遮蔽部材１２の下面に取り付けられるリード１８ａを有し、このリード１８ａには絞り加工等により、円環状で上方に突出する突出部１８ｂが形成され、この突出部１８ｂが遮蔽部材１２の逃げ孔１２ａに嵌合するようになっている。そして、突出部１８ｂの先端部１８ｃは平坦状の薄肉に形成されている。
また、逃げ孔１２ａに嵌合した先端部１８ｃの中央部付近に、ダイアフラム部Ｄの厚肉部１１ｅがスポット溶接等で接合されている。そして、前記リード１８ａはダイアフラム部Ｄに接合した状態で、電池ケースＫ内部に遮蔽部材１２のカシメ部１２ｆをカシメて遮蔽部材１２に固定されるようになっている。またリード１８ａは位置決め孔１８ｄが遮蔽部材１２の位置決め突起１２ｇに挿入されて、動きが規制されるようになっている。
【００２３】
このような構成の電池は、図２に示すように電池蓋１１の外周部の鍔部１１ａが、電池ケースＫの開口部に溶接等で取り付けられて、発電素子（図示せず）を収納した電池ケースＫの内部が機密に遮蔽された状態になっている。
そして、ダイアフラム部Ｄとリード１８ａとを介して、電池蓋１１と電池内部の発電素子の陰極素子（図示せず）との間に電路が形成され、電池内部に異常が発生して電池内部の圧力が上昇すると、この圧力上昇した気体が遮蔽部材１２の第１圧力伝達路１２ｂを通過して、凹部１１ｃに侵入し、ダイアフラム部Ｄを上方に押し上げようとする作動力が働く。
【００２４】
そして、電池ケースＫの内圧が所定値以上に上昇すると、図６に示すように、ダイアフラム部Ｄの薄肉部１１ｄが上方に反転して変位し、厚肉部１１ｅに接合されていたリード１８ａの薄肉の先端部１８ｃが接合部分から破断されて、電池蓋１１と電池内部の発電素子の陰極素子（図示せず）との間の電路を遮断することができる。
このときリード１８ａの先端部１８ｃには、ダイアフラム部Ｄが接合されていた部分に破断孔１８ｅが形成され、上方に変位したダイヤフラムＤ側にはリード１８ａの破断片１８ｆが接合した状態になっている。
【００２５】
このような、電池蓋１１と電池内部の発電素子の陰極素子（図示せず）との間に形成された電路の遮断は、リード１８ａの先端部１８ｃが破断されるものには限らず、スポット溶接の強度によっては、ダイアフラム部Ｄの厚肉部１１ｅが、リード１８ａの先端部１８ｃから剥離されるものもある（図示せず）。
または、ダイアフラム部Ｄの厚肉部１１ｅが、リード１８ａの先端部１８ｃに接合された状態で、厚肉部１１ｅ周辺の薄肉部１１ｄから破断されるものもある（図示せず）。
【００２６】
もし、前記電池蓋１１と電池内部の発電素子（図示せず）との間の電路が遮断されても、電池ケースＫ内部の圧力上昇がストップしないで、更に内圧が上昇するような場合には、この更に上昇した気体が第２圧力伝達路１２ｃから安全弁部Ｚの空洞部１１ｈに侵入して、突出部１１ｆを上方に押し上げようとする作動力が働き、電池ケースＫの内圧が所定値以上になると、突出部１１ｆが上方に押し上げられて、薄肉に形成した連結部１１ｇが破断するようになっている。
この連結部１１ｇが破断した部分から、電池内部の高圧の気体が外部に排出され、電池の破裂等を事前に防止することができるようになっている。
【００２７】
前述のような本発明の電池を用いた携帯用機器類、あるいは電池単品を、もし誤って落下させた場合、電池ケースＫ内部の電解液に衝撃が加わり、この衝撃で電解液が津波状になって第１と第２の圧力伝達路１２ｂ、１２ｃの連通部入り口１２ｋ、１２ｍに押し寄せるが、津波状の電解液が第１と第２の圧力伝達路１２ｂ、１２ｃを通過する間に、電解液に加わっていた衝撃が吸収される。そのために、電解液がダイアフラム部Ｄの凹部１１ｃ、あるいは安全弁部Ｚの空洞部１１ｈに充満したとしても、ダイアフラム部Ｄ、あるいは安全弁部Ｚが誤って作動することを防ぐことができる。
【００２８】
また、第１と第２の圧力伝達路１２ｂ、１２ｃは、遮蔽部材１２の表面と平行方向に形成しているので、第１と第２の圧力伝達路１２ｂ、１２ｃの連通部入り口１２ｋ、１２ｍから侵入する電解液は、ダイアフラム部Ｄの薄肉部１１ｄ、あるいは安全弁部Ｚの突出部１１ｆと平行方向に直進するので、侵入してきた電解液がダイアフラム部Ｄの薄肉部１１ｄ、あるいは安全弁部Ｚの突出部１１ｆを直撃せず、電解液の圧力の影響を更に小さくすることができる。
本発明の説明では、ダイアフラム部Ｄ側と安全弁部Ｚ側の両方に第１と第２の圧力伝達路１２ｂ、１２ｃを形成したもので説明したが、ダイアフラム部Ｄ側だけに第１圧力伝達路１２ｂを、あるいは安全弁部Ｚ側だけに第２圧力伝達経路１２ｃを形成したものでもよい。
即ち、圧力伝達路１１２ｂ、１２ｃは、ダイアフラム部Ｄ、あるいは／および安全弁部Ｚの下部まで延びて形成したものでもよい。
【００２９】
また、本発明の第２の実施の形態として、図７に示すように、遮蔽部材２２の圧力伝達路２２ｃは、例えばＵ字状の溝の側壁に複数の凹部２２ｄと凸部２２ｅとを有し、凸部２２ｅで断面を部分的に小さくするようになっている。
また、第３の実施の形態として、圧力伝達路３２ｃは、電池ケースＫ内部との連通部入り口３２ｍと、ダイアフラム部Ｄ、あるいは／および安全弁部Ｚの下部までの間の形状を非直線状に形成したものでもよい。
即ち、非直線状の圧力伝達路３２ｃは、図８に示すように、複数のクランク状から成る折り曲げ部を組み合わせて形成したものでもよい。
【００３０】
また、本発明の第４の実施の形態として、図９に示すように、圧力伝達路４２ｃは、遮蔽部材４２に電池ケースＫ内部と連通し、ダイアフラム部Ｄ、あるいは／および安全弁部Ｚの下部に至る横孔で構成したものでもよい。
【００３１】
【発明の効果】
本発明の電池は、遮蔽部材に、電池ケースの内部と連通し、ダイアフラム部、あるいは／および安全弁部の下部まで延びると共に、外部より電池に衝撃が加わった際に内部の電解液に加わる衝撃を吸収可能な断面の小さい圧力伝達路を形成したので、電池を誤って落下させたとしても、内部の電解液に加わる衝撃を断面の小さい圧力伝達路で吸収することができる。そのために、電池を誤って落下させたとしても、ダイアフラム部、あるいは安全弁部が、誤作動して内部の電路が遮断したり、安全弁部が破断したりすることのない電池を提供することができる。
【００３２】
また、前記圧力伝達経路は、前記電池蓋が密着する側の前記遮蔽部材の表面に形成した溝で構成したので、電池を誤って落下させたとしても、ダイアフラム部の薄肉部、あるいは安全弁部の突出部と平行な方向に電解液が侵入する。そのために、侵入した電解液がダイアフラム部の薄肉部、あるいは安全弁部の突出部を直撃しないので、ダイアフラム部、あるいは安全弁部の誤作動を防止することができる。
【００３３】
また、前記圧力伝達路は、前記溝の壁面に複数の凹部と凸部とを有し、前記前記凸部で前記断面を部分的に小さくするようにしたので、電池を誤って落下させたとしても、電解液に加わった衝撃を前記複数の凹部と凸部とで吸収することができる。
【００３４】
また、前記圧力伝達路は、前記電池ケース内部との連通部入り口と前記ダイアフラム部、あるいは／および前記安全弁部の下部までの間の形状を非直線状に形成したので、電池を誤って落下させたとしても、電解液が非直線状の圧力伝達路に侵入して電解液の流速を減速させることができ、ダイアフラム部、あるいは安全弁部の誤作動を防止することができる。
【００３５】
また、前記非直線状の圧力伝達路は、複数のクランク状から成る折り曲げ部を組み合わせて形成したので、この圧力伝達路に侵入した前記電解液の流速を更に減速させることができ、ダイアフラム部、あるいは安全弁部の誤作動を更に確実に防止することができる。
【００３６】
また、前記圧力伝達路は、前記電池ケース内部と連通し、前記ダイアフラム部、あるいは／および前記安全弁部の下部まで延びる横孔で構成したので、この横孔で、前記電解液に加わった衝撃を吸収することができる。
【図面の簡単な説明】
【図１】本発明に係わる上面図である。
【図２】本発明に係わる要部断面図である。
【図３】本発明に係わる下面図である。
【図４】本発明に係わる側面図である。
【図５】本発明に係わるダイアフラム部の要部拡大断面図である。
【図６】本発明に係わるダイアフラム部の動作を説明する要部拡大断面図である。
【図７】本発明に係わる第２の実施の形態の概略図である。
【図８】本発明に係わる第３の実施の形態の概略図である。
【図９】本発明に係わる第４の実施の形態の概略図である。
【図１０】従来の電池の要部断面図である。
【図１１】従来の電池の動作を説明する要部断面図である。
【符号の説明】
Ｔ  本発明の電池の電路遮断部品
１１  電池蓋
１１ａ  鍔部
１１ｂ  底板
１１ｃ  凹部
１１ｄ  薄肉部
１１ｅ  厚肉部
１１ｆ  突出部
１１ｇ  連結部
１１ｈ  空洞部
１２  遮蔽部材
１２ａ  逃げ孔
１２ｂ  第１圧力伝達路
１２ｃ  第２圧力伝達路
１２ｄ  中央孔
１２ｅ  ボス部
１２ｆ  カシメ部
１２ｇ  突起
１３  押さえ部材
１３ａ  中央孔
１３ｂ  第１凹部
１３ｃ  第１通気口
１３ｄ  第２凹部
１３ｅ  第２通気口
１４  リベット
１４ａ  頭部
１４ｂ  カシメ部
１５  陽極端子
１６  導通ワッシャ
１７  外部陽極
１８  陰極端子
１８ａ  リード
１８ｂ  突出部
１８ｃ  先端部
１８ｄ  通気口
１８ｅ  破断孔
１８ｆ  破断片
Ｋ  電池ケース
Ｄ  ダイアフラム部
Ｚ  安全弁部
【図１】
0003616259.tif 000002
【図２】
0003616259.tif 000003
【図３】
0003616259.tif 000004
【図４】
0003616259.tif 000005
【図５】
0003616259.tif 000006
【図６】
0003616259.tif 000007
【図７】
0003616259.tif 000008
【図８】
0003616259.tif 000009
【図９】
0003616259.tif 000010
【図１０】
0003616259.tif 000011
【図１１】
0003616259.tif 000012